(57)【要約】【課題】装着作業時及び装着中において、フラップ部に生じるめくれを防止するとともに、装着感を向上する。【解決手段】透液性表面シート３と不透液性裏面シート２との間に吸収体４が介在されるとともに、少なくとも両側部に吸収体４の存在しないフラップ部Ｆ２、Ｆ２が形成された生理用ナプキン１において、前記両側部のフラップ部Ｆ２，Ｆ２にはそれぞれ、該フラップ部Ｆ２，Ｆ２の形成幅の中間位置にフラップ部に沿うとともに、所定の長さ範囲に亘ってエンボス２０が形成され、このエンボス２０の内、相対的にナプキン１の長手方向後側領域Ｆａに形成されたエンボス２１が相対的にナプキン１の長手方向前側領域に形成されたエンボス２２よりも大きな面積で形成されている。【選択図】図１
2010125196.tif 000002
【特許請求の範囲】
【請求項１】
透液性表面シートと不透液性裏面シートとの間に吸収体が介在されるとともに、少なくとも両側部に吸収体の存在しないフラップ部が形成された吸収性物品において、
前記両側部のフラップ部にはそれぞれ、該フラップ部の形成幅の中間位置にフラップ部に沿うとともに、所定の長さ範囲に亘ってエンボスが形成され、このエンボスの内、相対的に吸収性物品の長手方向後側領域に形成されたエンボスが相対的に吸収性物品の長手方向前側領域に形成されたエンボスよりも大きな面積で形成されていることを特徴とする吸収性物品。
【請求項２】
前記エンボスは、前記フラップ部に沿って連続線状に形成されるとともに、吸収性物品の長手方向後側に向けて漸次幅広に形成されている請求項１記載の吸収性物品。
【請求項３】
前記エンボスは、前記フラップ部に沿って間欠的に形成されている請求項１記載の吸収性物品。
【請求項４】
隣接する前記エンボスの間隔は、エンボスの面積が大きく形成される後側領域の方が前側領域に形成されるエンボスより大きく形成されている請求項３記載の吸収性物品。
【請求項５】
前記エンボスは、隣接するエンボス同士を結んだ線がフラップ部の長手方向に沿ってジグザグ状又は波状となるように形成されている請求項１〜４いずれかに記載の吸収性物品。
【請求項６】
前記エンボスの面積が小さく形成される前側領域のエンボスの一部を隣接するエンボスより大きな面積で形成してある請求項１〜５いずれかに記載の吸収性物品。
【請求項７】
前記吸収性物品の両側部にそれぞれ、装着時に下着のクロッチ部分を巻き込むようにして固定されるウイング状フラップが形成されるとともに、前記エンボスが前記ウイング状フラップより後側のフラップ部に形成されている請求項１〜６いずれかに記載の吸収性物品。
【請求項８】
前記エンボスは、前記ウイング状フラップよりも前側のフラップ部にも形成されている請求項７記載の吸収性物品。
【発明の詳細な説明】
【技術分野】
【０００１】
本発明は、経血やおりものなどを吸収するための生理用ナプキン、パンティライナー、失禁パッド等の吸収性物品、詳しくは装着作業時及び装着中のフラップ部のめくれを防止した吸収性物品に関する。
【背景技術】
【０００２】
従来より、生理用ナプキン、パンティライナー、おりものシート、失禁パッドなどの吸収性物品Ｎとしては、例えば図１１に示されるように、ポリエチレンシートまたはポリエチレンラミネート不織布などからなる裏面シート５０と、不織布または透孔性プラスチックシートなどからなる透液性表面シート５１との間に綿状パルプなどからなる吸収体５２を介在させ、前記吸収体５２の周囲に前記裏面シート５０と表面シート５１とを接合させた、吸収体５２の存在しないフラップ部５３を形成したものが知られている。
【０００３】
近年では、この種の吸収性物品Ｎとして、フラップ部５３のめくれや折れ曲がり、シワなどを防止するため、種々の形態のものが提案されている。例えば、下記特許文献１では、表面シート部と裏面シート部とを接合する接合部が吸収性物品における外縁に沿うようにして形成されるとともに、複数の第１シール部と、１又は複数の第２シール部とを備え、第２シール部が前記第１シール部よりも低剛性である吸収性物品が開示されている。また、下記特許文献２では、表面材と裏面材とが接合されたヒートシール部が、凹凸を有しており、該凹凸が吸収性物品の長手方向又は幅方向に、凹部又は凸部のピッチ又は面積が異なる吸収性物品が開示されている。
【特許文献１】特開２００７−１３５９４０号公報
【特許文献２】特許第３６１１７６１号公報
【発明の開示】
【発明が解決しようとする課題】
【０００４】
しかしながら、吸収性物品を取り出してからショーツを引き上げるまでの一連の装着作業時と、装着が完了してからの装着中とでは、フラップ部のめくれなどが発生する部分及びそのめくれ方が異なるにもかかわらず、上記特許文献１、２記載の吸収性物品では、かかる点が考慮されていないため、装着作業時又は装着中のいずれかにおいて、フラップ部のめくれが発生するおそれがあった。
【０００５】
前記フラップ部に生じためくれや折れ曲がり、シワなどは、身体に当たって違和感の原因となったり、肌とめくれ部分との擦れが生じやすくなったりするなどの問題を発生させていた。
【０００６】
さらに、上記特許文献１、２記載の吸収性物品では、シール部が吸収性物品の外縁に沿って形成されるため、この外縁部が肌に当たって装着感が悪化する場合があった。
【０００７】
そこで本発明の主たる課題は、装着作業時及び装着中において、フラップ部に生じるめくれを防止するとともに、装着感を向上した吸収性物品を提供することにある。
【課題を解決するための手段】
【０００８】
前記課題を解決するために請求項１に係る本発明として、透液性表面シートと不透液性裏面シートとの間に吸収体が介在されるとともに、少なくとも両側部に吸収体の存在しないフラップ部が形成された吸収性物品において、
前記両側部のフラップ部にはそれぞれ、該フラップ部の形成幅の中間位置にフラップ部に沿うとともに、所定の長さ範囲に亘ってエンボスが形成され、このエンボスの内、相対的に吸収性物品の長手方向後側領域に形成されたエンボスが相対的に吸収性物品の長手方向前側領域に形成されたエンボスよりも大きな面積で形成されていることを特徴とする吸収性物品が提供される。
【０００９】
上記請求項１記載の発明は、装着作業時及び装着中にめくれが発生しやすい部位が両側のフラップ部であることの使用実態に鑑みて成されたものである。具体的には、本発明では、先ず、両側部のフラップ部にそれぞれエンボスを形成している。これは、吸収性物品の装着中において、吸収性物品が身体の丸みに沿って前後方向に大きく湾曲してシワが生じることに起因して生じるめくれを防止するためのものである。すなわち、両側部のフラップ部にそれぞれエンボスを形成することにより、この部分のフラップ部のコシを増加させ、めくれが生じないようにしている。
【００１０】
また、本発明では、この両側部のフラップ部に形成したエンボスのうち、吸収性物品の長手方向後側領域に形成されたエンボスを相対的に吸収性物品の長手方向前側領域に形成されたエンボスよりも大きな面積で形成している。これは、吸収性物品の装着作業時において、吸収性物品の機能性確保の点から、めくれの起点と成り易い後側領域のフラップ部のめくれを防止するためのものである。これにより、装着作業時及び装着中にフラップ部に生じるめくれが防止できるようになる。なお、前記吸収性物品の長手方向後側領域に形成されたエンボスと、相対的に吸収性物品の長手方向前側領域に形成されたエンボスとの大小の関係は、エンボス幅又はエンボス面積の平均値で比較することができる。
【００１１】
さらに、本発明では、前述のフラップ部に形成するエンボスは、該フラップ部の形成幅の中間位置にフラップ部に沿って形成するようにしている。つまり、吸収性物品の側縁端部及び吸収体の側縁端部からそれぞれ離間した中間位置にエンボスを形成するようにしている。これは、エンボスを吸収性物品の側縁端部にまで形成した場合には、硬化したエンボスの端部が直接肌に接する場合があり、装着感を悪化させる要因となるためであるとともに、エンボスを吸収体の側縁端部から形成した場合には、身体の丸みに沿って湾曲する吸収体に形成される幅方向のシワがエンボスを通じて両側のフラップ部にも伸展しやすくなり、めくれが生じやすくなるためである。これにより、吸収性物品の装着感を向上させることができるようになる。
【００１２】
請求項２に係る本発明として、前記エンボスは、前記フラップ部に沿って連続線状に形成されるとともに、吸収性物品の長手方向後側に向けて漸次幅広に形成されている請求項１記載の吸収性物品が提供される。
【００１３】
上記請求項２記載の発明は、エンボスをフラップ部に沿って連続線状に形成した形態例である。このとき、前記エンボスを吸収性物品の長手方向後側に向けて漸次幅広となるように形成することにより、上記装着作業時及び装着中のめくれを効果的に防止できるようになる。
【００１４】
請求項３に係る本発明として、前記エンボスは、前記フラップ部に沿って間欠的に形成されている請求項１記載の吸収性物品が提供される。
【００１５】
上記請求項３記載の発明は、エンボスをフラップ部に沿って間欠的に形成した形態例である。エンボスを間欠的に形成することにより、身体の丸みに沿いやすくなる。
【００１６】
請求項４に係る本発明として、隣接する前記エンボスの間隔は、エンボスの面積が大きく形成される後側領域の方が前側領域に形成されるエンボスより大きく形成されている請求項３記載の吸収性物品が提供される。
【００１７】
上記請求項４記載の発明は、エンボスをフラップ部に沿って間欠的に形成した場合、隣接するエンボスの間隔を、エンボスの面積が大きく形成される後側領域において、前側領域のエンボス間隔よりも大きく形成した形態例である。これにより、面積が大きく形成されることによる肌触り感の悪化が改善されるようになる。
【００１８】
請求項５に係る本発明として、前記エンボスは、隣接するエンボス同士を結んだ線がフラップ部の長手方向に沿ってジグザグ状又は波状となるように形成されている請求項１〜４いずれかに記載の吸収性物品が提供される。
【００１９】
上記請求項５記載の発明は、隣接するエンボス同士を結んだ線がジグザグ状又は波状になるように形成した形態例である。これにより、直線上に綺麗に整列させた場合よりも広い幅領域でエンボスを形成することができ、フラップ部全体にコシを出すことができ、より効果的にめくれを防止できるようになる。
【００２０】
請求項６に係る本発明として、前記エンボスの面積が小さく形成される前側領域のエンボスの一部を隣接するエンボスより大きな面積で形成してある請求項１〜５いずれかに記載の吸収性物品が提供される。
【００２１】
上記請求項６記載の発明は、エンボスの面積が小さく形成される前側領域において、その一部のエンボスを隣接するエンボスよりも大きな面積で形成した形態例である。これにより、前側領域の中間にもエンボスによるコシが出てフラップ部が折れにくくなる。
【００２２】
請求項７に係る本発明として、前記吸収性物品の両側部にそれぞれ、装着時に下着のクロッチ部分を巻き込むようにして固定されるウイング状フラップが形成されるとともに、前記エンボスが前記ウイング状フラップより後側のフラップ部に形成されている請求項１〜６いずれかに記載の吸収性物品が提供される。
【００２３】
請求項８に係る本発明として、前記エンボスは、前記ウイング状フラップよりも前側のフラップ部にも形成されている請求項７記載の吸収性物品が提供される
上記請求項７、８記載の発明では、ウイング状フラップより後側のフラップ部がめくれやすいため、この部分に前記エンボスを形成するようにしている。なお、ウイング状フラップより前側にもエンボスを形成することができる。
【発明の効果】
【００２４】
以上詳説のとおり本発明によれば、装着作業時及び装着中において、フラップ部に生じるめくれを防止するとともに、装着感を向上した吸収性物品が提供できる。
【発明を実施するための最良の形態】
【００２５】
以下、本発明の実施の形態について図面を参照しながら詳述する。図１は本発明に係る生理用ナプキン１の一部破断展開図であり、図２は図１のII−II線矢視図である。
【００２６】
前記生理用ナプキン１は、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙５と、表面両側部にそれぞれ長手方向に沿って形成されたサイド不織布７，７とから構成されている。前記吸収体４の周囲において、その上下端縁部では、前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と前記サイド不織布７とがホットメルトなどの接着剤やヒートシール等の接着手段によって接合され、外周に吸収体４の存在しないフラップ部Ｆ１、Ｆ２が形成されている。
【００２７】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２８】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００２９】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００３０】
また、前記吸収体４に合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００３１】
本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。特に本発明では、後段で詳述するように、ナプキン装着時の違和感を低減することを目的の一つとしているため、吸収体４の厚みは、約０．５〜２mmの範囲内とすることが好ましく、吸収体４の製造方法は、柔軟性に富むように積繊パルプ、エアレイド吸収体とすることが好ましい。なお、図示しないが、吸収体４は、排血口対応部が膨出した中高構造としても良い。
【００３２】
一方、本生理用ナプキン１の表面がわ両側部にはそれぞれ、長手方向に沿ってかつナプキン１のほぼ全長に亘ってサイド不織布７，７が設けられ、このサイド不織布７，７の一部が側方に延在されるとともに、同じく側方に延在された不透液性裏面シート２の一部とによりウイング状フラップＷ、Ｗが形成されている。
【００３３】
前記サイド不織布７としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００３４】
本発明では特に、外周に形成されたフラップ部Ｆ１，Ｆ２の内、両側部のフラップ部Ｆ２にはそれぞれ、該フラップ部Ｆ２の形成幅の中間位置にフラップ部Ｆに沿うとともに、所定の長さ範囲に亘って所定のパターンでエンボス２０が形成され、このエンボス２０の内、生理用ナプキン１の長手方向後側領域に形成されたエンボス２１、２１…が、長手方向前側領域に形成されたエンボス２２、２２…よりも大きな面積で形成されているものである。
【００３５】
さらに詳述すると、図３は図１のエンボス２０が形成されるフラップ部Ｆ２の拡大図である。本発明に係る生理用ナプキン１では、先ず、両側部のフラップ部Ｆ２の内、ナプキン後側のフラップＦａにそれぞれエンボス２０が形成されている。これは、生理用ナプキン１の装着が完了してからの装着中に発生しやすいめくれを防止するためのものである。すなわち、前記フラップ部Ｆａは、装着中に生理用ナプキン１が身体の丸みに沿って前後方向に大きく湾曲してシワが生じることに起因して、めくれを生じることが多く、特に図示例のようにウイング状フラップＷ、Ｗが形成される生理用ナプキン１の場合、このウイング状フラップＷ、Ｗより後側のフラップ部にめくれが生じることが多い。したがって、このフラップ部Ｆａに沿ってエンボス２０を形成することにより、この部分のコシが増加し、装着中のめくれが防止できるようになる。
【００３６】
また、本発明に係る生理用ナプキン１では、前記フラップ部Ｆａに形成したエンボス２０のうち、生理用ナプキン１の長手方向後側領域のフラップ部Ｆｂに形成されるエンボス２１、２１…を、前側領域（フラップ部Ｆａ−フラップ部Ｆｂ）に形成されるエンボス２２、２２…よりも大きな面積で形成している。これは、生理用ナプキン１を取り出してからショーツを引き上げるまでの一連の装着作業時に発生しやすいめくれを防止するためのものである。すなわち、前記フラップ部Ｆｂは、めくれの起点と成り易いため、この領域のエンボスを他の部分より大きな面積で形成することにより装着時のめくれを防止している。ここで、前記フラップ部Ｆｂに形成するエンボス２１は、他の部分のエンボス２２に対し、５〜２０倍、好ましくは１０〜２０倍程度大きく形成することが好ましい。
【００３７】
このとき、前記エンボス２０は、フラップ部Ｆａの形成幅の中間位置、すなわち生理用ナプキン１の側縁端部及び吸収体４の側縁端部からそれぞれ離隔した位置に設けることが望ましい。この理由は次のとおりである。すなわち、前記エンボス２０を生理用ナプキン１の側縁端部にまで形成すると、硬化したエンボスの端部が直接肌に接する場合があり、装着感を悪化させる要因となる。また、吸収体４の側縁端部から形成した場合には、身体の丸みに沿って湾曲する吸収体４に形成される幅方向のシワがエンボス２０を通じて両側のフラップ部Ｆａにも伸展しやすくなり、めくれが生じやすくなる。
【００３８】
前記エンボス２０は、種々のパターンで形成することができる。例えば、図１に示されるように、エンボス２０（前記エンボス２２）を円形又は楕円形のドット状で形成し、装着時にめくれが発生しやすいフラップ部Ｆｂに形成するエンボス２１を比較的大きな面積の花柄形状などとすることができる。特に、前記装着時にめくれが発生しやすいフラップ部Ｆｂに形成するエンボス２１は、生理用ナプキン１の外側に向けて拡がるパターン（花柄形状、星形、五角形など）とすることにより、エンボス面積が小さくてもより大きなコシを出すことができるようになるとともに、どの方向にも対応し易くなるため好ましい。
【００３９】
前記フラップ部Ｆ２では、ホットメルト接着剤など、前記エンボス２０による接合手段とは異なる手段によって裏面シート２と表面シート３とを接合するようにする。すなわち、前記エンボス２０にはシール機能を持たせないようにすることが望ましい。これにより、エンボス２０の硬化を防止することができ、肌触り感が向上する。
【００４０】
前記エンボス２０が形成されるフラップ部Ｆ２を構成する素材は、エアスルーなどの嵩高のものを用いることにより、エンボスを形成しやすくなるとともに、エンボスの硬さを肌に感じさせにくくするため好ましい。図１に示される例では、生理用ナプキン１の表面がわ両側部にはそれぞれ、サイド不織布７、７が設けられているため、このサイド不織布７と裏面シート２とが接合されたフラップ部にエンボス２０が施される。サイド不織布が設けられない生理用ナプキンの場合、表面シート３と裏面シート２とが接合されたフラップ部に前記エンボスが施される。
【００４１】
ところで、前記エンボス２０は、図４〜図１０に示されるように、種々の形態で形成することができる。
【００４２】
図４に示される形態例では、前記エンボス２０は、両側のフラップ部Ｆ２にそれぞれ、生理用ナプキン１の長手方向に長い連続線状に形成されるとともに、生理用ナプキン１の長手方向後側に向けて漸次幅広に形成されている。エンボス２０を生理用ナプキン１の長手方向後側に向けて漸次幅広となるように形成することにより、装着作業時及び装着中のめくれを効果的に防止できるようになる。
【００４３】
図５に示される形態例では、前記エンボス２０は、フラップ部Ｆ２に沿って間欠的に形成されている。エンボス部２０を間欠的に形成することにより、身体の丸みに沿いやすくなる。
【００４４】
図６に示される形態例では、前記エンボス２０は、フラップ部Ｆ２に沿って間欠的に形成されるとともに、各エンボス部２０が円形又は楕円形などの角がないパターンに形成されている。前記エンボス部２０を円形又は楕円形などの角がないパターンで形成することにより、肌の当たりをやわらげ、装着感が向上する。
【００４５】
図７に示される形態例では、前記エンボス２０は、フラップ部Ｆ２に沿って間欠的に形成されるとともに、隣接するエンボスの間隔が、エンボスの面積が大きく形成される後側領域の方が前側領域より大きく形成されている。これにより、面積が大きく形成されることによる肌触り感の悪化が改善されるようになる。
【００４６】
図８に示される形態例では、前記エンボス２０は、隣接するエンボス２０、２０…同士を結ぶ線が、フラップ部Ｆ２の長手方向に沿ってジグザグ状となるように形成されている。図４に示されるように前記エンボス２０が連続線状に形成される場合は、フラップ部Ｆに沿うエンボス２０の外形線がジグザグ状又は波状となるように形成する。これにより、小さな面積でエンボス２０を形成した場合であっても、広い幅領域に亘ってエンボスを形成できるため、フラップ部Ｆの形成幅全体にコシを出すことができ、より効果的にめくれを防止できるようになる。
【００４７】
図９に示される形態例では、前記エンボスの面積が小さく形成される前側領域において、その一部のエンボス２３を隣接するエンボス２２，２２よりも大きな面積で形成されている。これによりエンボス２３部分でコシが出て、フラップ部Ｆ２が折れにくくなる。ここで、前記エンボス２３は、隣接するエンボス２２、２２に対し、５〜２０倍程度大きく形成することが好ましい。また、図４に示されるように前記エンボス２０が連続線状に形成される場合は、中間に拡大部を形成すればよい。
【００４８】
図１０に示される形態例では、ウイング状フラップＷよりも前側のフラップ部Ｆ２にもエンボス２０が形成されている。これにより、ウイング状フラップＷより前側でもフラップ部Ｆ２のめくれが防止できるようになる。
【００４９】
〔他の形態例〕
(1)上記形態例では、生理用ナプキン１の両側のフラップ部Ｆ２、Ｆ２のみにそれぞれエンボス２０、２０が形成されるようにしたが、前後のフラップ部Ｆ１、Ｆ１にもエンボス２０を形成してもよい。これにより、前後のフラップ部Ｆ１，Ｆ１におけるめくれも防止できるようになる。さらに、ウイング状フラップＷ、Ｗの外周部にエンボス２０を形成することもできる。
【図面の簡単な説明】
【００５０】
【図１】本発明に係る生理用ナプキン１の一部破断展開図である。
【図２】図１のII−II線矢視図である。
【図３】図１のエンボス２０形成部分の拡大図である。
【図４】エンボス２０の形態例（その１）を示す生理用ナプキン１の展開図である。
【図５】エンボス２０の形態例（その２）を示す生理用ナプキン１の展開図である。
【図６】エンボス２０の形態例（その３）を示す生理用ナプキン１の展開図である。
【図７】エンボス２０の形態例（その４）を示す生理用ナプキン１の展開図である。
【図８】エンボス２０の形態例（その５）を示す生理用ナプキン１の展開図である。
【図９】エンボス２０の形態例（その６）を示す生理用ナプキン１の展開図である。
【図１０】エンボス２０の形態例（その７）を示す生理用ナプキン１の展開図である。
【図１１】従来の吸収性物品Ｎの一部破断展開図である。
【符号の説明】
【００５１】
１…生理用ナプキン、２…不透液性裏面シート、３…透液性表面シート、４…吸収体、５…クレープ紙、７…サイド不織布、２０・２１・２２・２３…エンボス、Ｆ１・Ｆ２・Ｆａ・Ｆｂ…フラップ部、Ｗ…ウイング状フラップ
【図１】
2010125196.tif 000003
【図２】
2010125196.tif 000004
【図３】
2010125196.tif 000005
【図４】
2010125196.tif 000006
【図５】
2010125196.tif 000007
【図６】
2010125196.tif 000008
【図７】
2010125196.tif 000009
【図８】
2010125196.tif 000010
【図９】
2010125196.tif 000011
【図１０】
2010125196.tif 000012
【図１１】
2010125196.tif 000013